(57)【特許請求の範囲】
【請求項１】
昇降機を駆動する駆動装置の作動と停止を選択的に指令可能な運転指令手段と、この運転指令手段からの指令に基づき、保守作業時の動作速度として予め設定された低速度で前記駆動装置を動作させたり、その動作を停止させたりする駆動制御手段と、この駆動制御手段を起動させたり停止させたりする保守用スイッチと、保守作業場所に設けられたスピーカと、このスピーカに注意喚起のためのアナウンスを出力させるスピーカ制御手段とを備える昇降機の保守装置であって、
前記保守用スイッチにより前記駆動制御手段が起動されてからの前記駆動装置の作動と停止の繰返し回数が所定回数に達したかどうかを判定する作業判定手段を備え、
前記スピーカ制御手段は、前記作業判定手段による判定の結果として前記繰返し回数が所定回数に達したという結果を得た場合に、注意喚起のためのアナウンスを前記スピーカに出力させ、
前記作業判定手段は、前記繰返し回数が所定回数に達したという結果を得た後に、再び前記繰返し回数が所定回数に達したかどうかを判定し、
前記駆動制御手段は、前記作業判定手段による再度の判定の結果として前記繰返し回数が所定回数に達したという結果を得た場合に、前記運転指令手段からの前記駆動装置の作動の指令を一時的にキャンセルする
ことを特徴とする昇降機の保守装置。
【請求項２】
請求項１に記載の昇降機の保守装置において、
前記保守用スイッチにより前記駆動制御手段が起動されてからの経過時間が、所定時間
に達したかどうかを判定する経過時間判定手段を備え、
前記スピーカ制御手段は、前記作業判定手段による判定の結果として前記繰返し回数が
所定回数に達していないという結果を得た場合であって、かつ、前記経過時間判定手段に
よる判定の結果として前記経過時間が所定時間に達したという結果を得た場合に、注意喚
起のためのアナウンスを前記スピーカに出力させる
ことを特徴とする昇降機の保守装置。
【請求項３】
請求項１または請求項２に記載の昇降機の保守装置において、
前記スピーカ制御手段は、前記保守用スイッチにより駆動制御手段が停止されたことに基づき、注意喚起のためのアナウンスをスピーカに出力させる
ことを特徴とする昇降機の保守装置。
【発明の詳細な説明】
【技術分野】
【０００１】
本発明は、作業場所に設置されたスイッチの操作により、その作業現場に適した注意喚起のためのアナウンスを行う昇降機の保守装置に関する。
【背景技術】
【０００２】
従来、エレベータやエスカレータなどの昇降機には、保守作業時に作業場所に適した注意喚起のためのアナウンスを行う装置が設置されている。この種の装置としては特許文献１に開示された保守安全装置がある。この保守安全装置はエレベータの機械室、かごの天井、および、昇降路の底部のピット等の保守作業場所のそれぞれに設けられ、保守作業の開始時に操作される保守用スイッチと、音声情報を出力する音声発信装置と、保守作業場所に応じた安全事項および技術事項の音声情報を格納した記憶装置と、保守スイッチの操作状態の組み合わせの判定を行い、その判定の結果に基づき音声情報を記憶装置から読み出して音声発信装置に音声情報を出力させる演算処理装置とを備える。これにより、エレベータの保守作業に関する安全事項および技術事項の情報を保守作業員に事前に知らせることができ、保守作業員の安全および作業能率の向上を図ることができる。
【先行技術文献】
【特許文献】
【０００３】
【特許文献１】特開平６−２１９６６３号公報
【発明の概要】
【発明が解決しようとする課題】
【０００４】
特許文献１に開示された保守安全装置は、注意喚起のためのアナウンスを保守作業前に行うが、保守作業中には行わない。保守作業者は保守作業において作業に対する慣れに起因して、または長時間の作業による疲労に起因して集中力を低下させてしまう場合があるため、保守作業中に注意喚起を行うことが必要である。
【０００５】
本発明は前述の事情を考慮してなされたものであり、その目的は、保守作業中に保守作業者に対して注意喚起のためのアナウンスを行うことができる昇降機の保守装置を提供することにある。
【課題を解決するための手段】
【０００６】
前述の目的を達成するために本発明は次のように構成されている。
【０００７】
〔１〕  本発明に係る昇降機の保守装置は、昇降機を駆動する駆動装置の作動と停止を選択的に指令可能な運転指令手段と、この運転指令手段からの指令に基づき、保守作業時の動作速度として予め設定された低速度で前記駆動装置を動作させたり、その動作を停止させたりする駆動制御手段と、この駆動制御手段を起動させたり停止させたりする保守用スイッチと、保守作業場所に設けられたスピーカと、このスピーカに注意喚起のためのアナウンスを出力させるスピーカ制御手段とを備える昇降機の保守装置であって、前記保守用スイッチにより前記駆動制御手段が起動されてからの前記駆動装置の作動と停止の繰返し回数が所定回数に達したかどうかを判定する作業判定手段を備え、前記スピーカ制御手段は、前記作業判定手段による判定の結果として前記繰返し回数が所定回数に達したという結果を得た場合に、注意喚起のためのアナウンスを前記スピーカに出力させ、前記作業判定手段は、前記繰返し回数が所定回数に達したという結果を得た後に、再び前記繰返し回数が所定回数に達したかどうかを判定し、前記駆動制御手段は、前記作業判定手段による再度の判定の結果として前記繰返し回数が所定回数に達したという結果を得た場合に、前記運転指令手段からの前記駆動装置の作動の指令を一時的にキャンセルすることを特徴とする。
【０００８】
この「〔１〕」に記載の昇降機の保守装置において、保守作業の開始時に保守用スイッチは保守作業者により操作され、これによって駆動制御手段が起動する。保守作業が開始されると、運転指令手段は保守作業者により操作され、駆動装置の作動や停止を駆動制御手段に指令する。駆動制御手段は、それらの指令に基づき、駆動装置を低速度で動作させたり、その動作を停止させたりする。この間、作業判定手段は、駆動装置の作動と停止の繰返し回数をカウントし、そのカウント数が所定回数に達したかどうかを判定する。スピーカ制御手段は、作業判定手段による判定の結果として繰返し回数が所定回数に達したという結果を得た場合、注意喚起のためのアナウンスをスピーカに出力させる。駆動装置の作動と停止の繰返しは保守作業中に行われることであるので、繰返し回数が所定回数を達したときに注意喚起のためのアナウンスを行うことによって保守作業中に保守作業者に注意喚起のためのアナウンスを行うことができる。
【００１０】
また、「〔１〕」に記載の昇降機の保守装置においては、所定回数の繰返しを２度以上続ける作業を強制的に中断でき、これにより、集中力が低下した状態で作業が継続されることを防止できる。
【００１１】
〔２〕  本発明に係る昇降機の保守装置は、「〔１〕」に記載の昇降機の保守装置において、前記保守用スイッチにより前記駆動制御手段が起動されてからの経過時間が、所定時間に達したかどうかを判定する経過時間判定手段を備え、前記スピーカ制御手段は、前記作業判定手段による判定の結果として前記繰返し回数が所定回数に達していないという結果を得た場合であって、かつ、前記経過時間判定手段による判定の結果として前記経過時間が所定時間に達したという結果を得た場合に、注意喚起のためのアナウンスを前記スピーカに出力させることを特徴とする。なお、所定時間とは、作業に対する慣れ、および作業による疲れが生じ始める時間として予め設定されたものである。
【００１３】
「〔２〕」に記載の昇降機の保守装置においては、保守用スイッチにより駆動制御手段が起動されてから、すなわち保守作業が開始されてから所定時間経過後の保守作業中に、注意喚起のためのアナウンスを行うことができる。
【００１４】
〔３〕  本発明に係る昇降機の保守装置は、「〔１〕」または「〔２〕」に記載の昇降機の保守装置において、前記スピーカ制御手段は、前記保守用スイッチにより駆動制御手段が停止されたことに基づき、注意喚起のためのアナウンスをスピーカに出力させることを特徴とする。
【００１５】
この「〔３〕」に記載の昇降機の保守装置においては、保守用スイッチにより駆動制御
手段が停止されたことに基づき、すなわち保守作業終了したことに基づき、注意喚起のためのアナウンスを行うことができる。これにより、保守作業場所の後片付けなど、保守作業に付随する作業の確実性の確保に貢献できる。
【発明の効果】
【００１６】
本発明に係る昇降機の保守装置は、前述のように、保守作業中に保守作業者に対して注意喚起のためのアナウンスを行うことができる。これにより、同じ作業内容の繰返しに対する慣れに起因して、または長時間の作業による疲労に起因して保守作業者の集中力が低下するのを防止できる。
【図面の簡単な説明】
【００１７】
【図１】本発明が適用される昇降機であるエスカレータに対し保守作業を行っている様子を示す図である。
【図２】本発明の一実施形態に係る保守装置の構成を示すブロック図である。
【図３】図２に示した制御装置により行われる処理の流れを示すフローチャートである。
【発明を実施するための形態】
【００１８】
本発明の一実施形態に係る昇降機の保守装置の構成について図１，図２を用いて説明する。
【００１９】
図１に示すエスカレータ１は、無端状に連結された複数の踏段２と、この踏段２を駆動する駆動装置３とを備える。この駆動装置３は、上階側の乗降場１０の床下に設けられた電動機４と、この電動機４に伝動可能に結合した減速機５と、この減速機５の出力を伝達されるターミナルギア６と、このターミナルギア６の回転を踏段２に伝達するステップチェーン７とを備える。また、ターミナルギア６の回転はハンドレール駆動装置８に伝達されて、ハンドレール９が踏段２に同期して走行するようになっている。電動機４には制御装置３０が電気的に接続されている。この制御装置３０は、ＣＰＵ、ＲＯＭ、ＲＡＭおよび補助記憶装置を備え、これらによって情報処理を行うことで電動機４を制御するものである。
【００２０】
図２に示すように、本実施形態に係る保守装置２０は、制御装置３０に設けられていて保守作業の開始時に操作される保守用スイッチ２１と、エスカレータ１の上階側の乗降場１０付近に設けられた上階側作動スイッチ２２および上階側停止スイッチ２３と、エスカレータ１の下階側の乗降場１１付近に設けられた下階側作動スイッチ２４および下階側停止スイッチ２５とを備えている。上階側作動スイッチ２２および下階側作動スイッチ２４は制御装置３０に電動機４の起動を指令するものであり、上階側停止スイッチ２３および下階側停止スイッチ２５は制御装置３０に電動機４の停止を指令するものである。保守装置２０は更に、上階側の乗降場１０付近に設けられたスピーカ２６を備えている。
【００２１】
保守装置２０は更に、制御装置３０に駆動制御手段３１、経過時間判定手段３３、作業判定手段３２、アナウンス選択手段３４およびスピーカ制御手段３５を備える。これらの手段３１〜３５は、制御装置３０のＲＯＭに書き込まれたコンピュータプログラムによって設定された手段である。
【００２２】
駆動制御手段３１は、保守用スイッチ２１がオンすると起動しオフすると停止するものである。また、前出の上階側作動スイッチ２２、下階側作動スイッチ２４、上階側停止スイッチ２３および下階側停止スイッチ２５は、駆動装置３の電動機４の作動および停止を指令する運転指令手段とするものである。駆動制御手段３１は起動した状態において、上階側作動スイッチ２２および下階側作動スイッチ２４からの指令に基づき、保守作業時の動作速度として予め設定された低速度、すなわち乗客を搬送する速度として予め設定された速度よりも遅い速度で駆動装置３の電動機４を動作させ、また、上階側停止スイッチ２３および下階側停止スイッチ２５からの指令に基づき駆動装置３の電動機４を停止させる。
【００２３】
作業判定手段３２は、保守用スイッチ２１により駆動制御手段３１が起動されてからの駆動装置３の作動と停止の繰返し回数が所定回数Ｎ回Ｎに達したかどうかを判定するものである。この所定回数Ｎ回は、作業に対する慣れ、および作業による疲労の少なくとも一方が生じ始める回数として予め設定されたものである。
【００２４】
経過時間判定手段３３は、保守用スイッチ２１により駆動制御手段３１が起動されてからの経過時間が、すなわち保守作業開始からの経過時間が所定時間Ｔに達したかどうかを判定するものである。所定時間Ｔは、作業に対する慣れ、および作業による疲労の少なくとも一方が生じ始める時間として予め設定されたものである。
【００２５】
アナウンス選択手段３４は、制御装置３０の補助記憶装置に予め記憶されている複数種類のアナウンスのうちの１つを、経過時間判定手段３３による判定の結果、作業判定手段３２による判定の結果、保守用スイッチ２１の状態に基づき選択するものである。本実施形態において、アナウンスの種類はアナウンス１〜アナウンス４の４種類ある。アナウンス１は「周囲に注意しましょう」であり、アナウンス２は「作動と停止との繰返し回数が所定回数２Ｎ回を超えましたので、注意喚起のため作動スイッチの操作をキャンセルしました」であり、アナウンス３は「集中力の低下に注意しましょう」であり、アナウンス４は「工具の置き忘れはありませんか？」である。
【００２６】
スピーカ制御手段３５は、アナウンス選択手段３４により選択されたアナウンスに基づきスピーカ２６を制御するものである。
【００２７】
このように構成された保守装置２０の動作について次に説明する。
【００２８】
上階側の保守作業者Ａは、制御装置３０に設けられた保守用スイッチ２１をオンさせる（ステップＳ１）。これによって制御装置３０の駆動制御手段３１は起動する。つまり、制御装置３０は上階側作動スイッチ２２、下階側作動スイッチ２４、上階側停止スイッチ２３および下階側停止スイッチ２５のそれぞれからの指令に基づき駆動装置３の電動機４を制御する状態となる。
【００２９】
保守作業において、上階側の保守作業者Ａが上階側作動スイッチ２２および上階側停止スイッチ２３を操作して、または、下階側の保守作業者Ｂが下階側作動スイッチ２４および下階側停止スイッチ２５を操作して、駆動装置３の作動と停止が繰り返される。この間、制御装置３０の作業判定手段３２は、駆動装置３の作動と停止の繰返しを、上階側作動スイッチ２２、上階側停止スイッチ２３、下階側作動スイッチ２４、下階側停止スイッチ２５からの指令に基づきカウントする。
【００３０】
作業判定手段３２はカウントしながら、そのカウント数が所定回数Ｎ回に達したかどうかを判定する（ステップＳ２）。そして、カウント数が所定回数Ｎ回に達したと作業判定手段３２により判定された場合（ステップＳ２でＹＥＳ）、アナウンス選択手段３４はアナウンス１を選択し、これに基づきスピーカ制御手段３５はスピーカ２６を制御する。これにより、スピーカ２６は「周囲に注意しましょう」と、保守作業者の集中力の低下を防ぐためのアナウンス１を出力する（ステップＳ３）。
【００３１】
アナウンス１の終了後、作業判定手段３２はカウントを再開する。そして再びカウント数が所定回数Ｎ回の達したと作業判定手段３２により判定された場合（ステップＳ４でＹＥＳ）、駆動制御手段３１は、上階側作動スイッチ２２または下階側作動スイッチ２４からの指令をキャンセルする状態となる（ステップＳ５）。次に、アナウンス選択手段３４はアナウンスとしてアナウンス２とアナウンス１をこの順番で選択し、これらの選択に基づきスピーカ制御手段３５はスピーカ２６を制御する。これにより、スピーカ２６は「作動と停止との繰返し回数が所定回数２Ｎ回を超えましたので、注意喚起のため作動スイッチの操作をキャンセルしました」と、保守作業が長時間に亘っている旨、および、駆動装置３が作動しない理由を述べるアナウンス２を出力し、次に「周囲に注意しましょう」とアナウンス１を出力する。
【００３２】
その後、保守作業者Ａが保守用スイッチ２１をオフすると（ステップＳ１０でＹＥＳ）、駆動制御手段３１は停止するとともに、アナウンス選択手段３４はアナウンス４を選択する。そして、スピーカ制御手段３５はスピーカ２６を制御して、スピーカ２６に「工具の置き忘れはありませんか？」、と作業終了時のチャック項目を保守作業者に気付かせるアナウンス４を出力させ（ステップＳ１１）、保守装置２０の動作は終了する。
【００３３】
また、保守用スイッチ２１がオンして駆動制御手段３１が起動してからは、作業判定手段３２が作動と停止の繰返しをカウントするのと並行して、制御装置３０の経過時間判定手段３３は、保守用スイッチ２１のオン状態での経過時間を計測している。そして、ステップＳ２の判定でカウント数が所定回数Ｎ回に達していないと作業判定手段３２により判定された場合（ステップＳ２でＮＯ）、経過時間判定手段３３は、経過時間が所定時間Ｔに達したかどうかを判定する（ステップＳ８）。そして、経過時間が所定時間Ｔに達したと経過時間判定手段３３により判定された場合（ステップＳ８でＹＥＳ）、アナウンス選択手段３４はアナウンス３を選択し、これに基づきスピーカ制御手段３５はスピーカ２６を制御する。これにより、スピーカ２６は「集中力の低下に注意しましょう」と、慣れや疲れに起因する保守作業者の集中力の低下を防止するためのアナウンス３を出力する（ステップＳ９）。その後、制御装置３０では処理は、ステップＳ１０からのルーチンに進む。
【００３４】
なお、ステップＳ８で経過時間が所定時間Ｔに達していないと判定された場合（ステップＳ８でＮＯ）、制御装置３０での処理はステップＳ１からのルーチンに戻る。
【００３５】
本実施形態に係る保守装置２０によれば、次の効果を得られる。
【００３６】
本実施形態に係る保守装置２０において、作業判定手段３２は、保守用スイッチ２１により駆動制御手段３１が起動されてからの駆動装置３の作動と停止の繰返し回数をカウントし、そのカウント数が所定回数Ｎ回に達したかどうかを判定する。スピーカ制御手段３５は、作業判定手段による判定の結果として繰返し回数が所定回数Ｎ回に達したという結果を得た場合、注意喚起のためのアナウンスをスピーカ２６に出力させる。駆動装置３の作動と停止の繰返しは保守作業中に行われることであるので、その繰返し回数が所定回数Ｎ回を達したときに注意喚起のためのアナウンスを行うことによって保守作業中に保守作業者に注意喚起のためのアナウンスを行うことができる。これにより、同じ作業内容の繰返しに対する慣れに起因して、または長時間の作業による疲労に起因して保守作業者の集中力が低下するのを防止できる。
【００３７】
本実施形態に係る保守装置２０において、作業判定手段３２は、駆動装置３の作動と停止の繰返し回数が所定回数Ｎ回に達したという結果を得た後に、再びその繰返し回数が所定回数Ｎ回に達したかどうかを判定し、駆動制御手段３１は、作業判定手段３２による再度の判定の結果として繰返し回数が所定回数Ｎ回に達したという結果を得た場合に、運転指令手段である上階側作動スイッチ２２または下階側作動スイッチ２４からの駆動装置３の作動の指令を一時的にキャンセルする。これにより、駆動装置３の作動と停止の所定回数Ｎ回の繰返しを２度以上続ける作業を強制的に中断でき、これにより、集中力が低下した状態で作業が継続されることを防止できる。
【００３８】
本実施形態に係る保守装置２０において、経過時間判定手段３３は、保守用スイッチ２１により駆動制御手段３１が起動されてからの経過時間が所定時間Ｔに達したかどうかを判定し、スピーカ制御手段３５は、経過時間判定手段３３による判定の結果として経過時間が所定時間Ｔに達したという結果を得た場合に、注意喚起のためのアナウンスをスピーカ２６に出力させる。これにより、保守用スイッチにより駆動制御手段３１が起動されてから、すなわち保守作業が開始されてから所定時間Ｔ経過後の保守作業中に、注意喚起のためのアナウンスを行うことができる。
【００３９】
本実施形態に係る保守装置２０において、スピーカ制御手段３５は、保守用スイッチ２１により駆動制御手段３１が停止されたことに基づき、注意喚起のためのアナウンスをスピーカ２６に出力させる。これにより、保守用スイッチ２１により駆動制御手段３１が停止されたことに基づき、すなわち保守作業終了したことに基づき、注意喚起のためのアナウンスを行うことができる。したがって、保守作業場所の後片付けなど、保守作業に付随する作業の確実性の確保に貢献できる。
【００４０】
なお、前述の実施形態に係る保守装置２０は、エスカレータに適用されたものであるが、エレベータの保守作業においても乗りかごの駆動装置の低速度での動作と、その動作の停止とを繰り返すので、エレベータに適用してもよい。
【００４１】
前述の実施形態に係る保守装置２０は、エスカレータ１に備えられる制御装置３０に、駆動制御手段３１、経過時間判定手段３３、作業判定手段３２、アナウンス選択手段３４およびスピーカ制御手段３５を備えるものであるが、これらの手段３１〜３５は、エスカレータ１の遠隔監視を行う保守制御装置に備えられてもよい。保守制御装置はエスカレータ１の制御装置３０とは別電源であるのが一般的であり、これによって、エスカレータ１の電源を遮断してもその別電源により保守装置２０を使用することができる。
【符号の説明】
【００４２】
１  エスカレータ（昇降機）
２  踏段
３  駆動装置
４  電動機
５  減速機
６  ターミナルギア
７  ステップチェーン
８  ハンドレール駆動装置
９  ハンドレール
１０  上階側の乗降場
１１  下階側の乗降場
２０  保守装置
２１  保守用スイッチ
２２  上階側作動スイッチ（運転指令手段）
２３  上階側停止スイッチ（運転指令手段）
２４  下階側作動スイッチ（運転指令手段）
２５  下階側停止スイッチ（運転指令手段）
２６  スピーカ
３０  制御装置
３１  駆動制御手段
３２  作業判定手段
３３  経過時間判定手段
３４  アナウンス選択手段
３５  スピーカ制御手段
【図１】
0005671321.tif 000002
【図２】
0005671321.tif 000003
【図３】
0005671321.tif 000004